(57)【要約】【課題】  開封から商品を使い切るに至るまで小児及び高齢者の双方に対して有効で且つ合理的な誤飲抑制機能を維持できる包装用箱の提供。【解決手段】  第一の包み板３と、後方封鎖板４と、第二の包み板５と、前方封鎖板６と、制止板７が方形筒状に組み立てられた内側包装体１であって、当該制止板７が、前記前方封鎖板６に続いて延出する一対の脚部７ｂ，７ｃと、各脚部７ｂ，７ｃから外側に突出する係止部７ｄ，７ｅを備え、前記第一の包み板３の内面に添って揺動自在に配置されている内側包装体１と、当該内側包装体１の内包時において前記係止部７ｄ，７ｅに対向する位置に、前記係止部７ｄ，７ｅを露出させる係止孔２１ａ，２３ａを備える外側スリーブ２とからなる誤飲抑制機能を有する包装用箱。【選択図】      図１
2020011734.tif 000002
【特許請求の範囲】
【請求項１】
物品を収容する内側包装体と、当該内側包装体を挿脱可能に内包する方形筒状の外側スリーブを備え、
前記内側包装体は、前記外側スリーブの内面を滑る第一の包み板と、前記外側スリーブの後方開口部を封じる後方封鎖板と、空隙を挟んで前記第一の包み板に対向し前記外側スリーブの内面を滑る第二の包み板と、前記外側スリーブの前方開口部を封じる前方封鎖板と、当該内側包装体を前記外側スリーブ内に止める制止板が方形筒状に組み立てられ、
前記制止板は、前記前方封鎖板に続いて延出する一対の脚部と、各脚部から当該制止板の側方へ突出する係止部を備え、前記第一の包み板の内面に添って揺動自在に配置され、
前記外側スリーブは、前記内側包装体の内装時において前記係止部に対向する位置に、前記係止部を当該外側スリーブの外に露出させる係止孔を備えることを特徴とする包装用箱。
【請求項２】
各脚部の前記係止部を、前記制止板の側縁の非対称の位置に備えることを特徴とする請求項１に記載の包装用箱。
【請求項３】
前記第一の包み板若しくは前記第二の包み板又はその双方の側方に、前記第一の包み板若しくは前記第二の包み板又はその双方と共にＰＴＰシートを保持する狭持板が延設され、当該狭持板は、前記ＰＴＰシートの個包装部を露出させる窓孔を備える請求項１又は請求項２のいずれかに記載の包装用箱。
【請求項４】
前記制止板の一対の脚部を分ける分断溝は、前記第一の包み板若しくは前記第二の包み板又はその双方と狭持板とで保持された前記ＰＴＰシートの個包装部の配置領域に重ねて設けられている請求項３に記載の包装用箱。
【請求項５】
対向する側板にそれぞれ係止孔を備える外側スリーブに対して挿脱可能に内包される内側包装体であって、
前記外側スリーブの内面を滑る第一の包み板と、前記外側スリーブの後方開口部を封じる後方封鎖板と、空隙を挟んで前記第一の包み板に対向し前記外側スリーブの内面を滑る第二の包み板と、前記外側スリーブの前方開口部を封じる前方封鎖板と、当該内側包装体を前記外側スリーブ内に止める制止板が方形筒状に組み立てられ、
前記制止板は、前記第一の包み板の内面に添って揺動自在に配置され、前記前方封鎖板に続いて延出する一対の脚部と、各脚部から当該制止板の側方へ突出し、当該内側包装体の内装時において前記係止孔から露出する係止部を備えることを特徴とする包装用箱の内側包装体。
【請求項６】
対向する側板にそれぞれ係止孔を備える外側スリーブに対して挿脱可能に内包される内側包装体のブランクシートであって、
前記外側スリーブの内面を滑る第一の包み板と、前記外側スリーブの後方開口部を封じる後方封鎖板と、空隙を挟んで前記第一の包み板に対向し前記外側スリーブの内面を滑る第二の包み板と、前記外側スリーブの前方開口部を封じる前方封鎖板と、当該内側包装体を前記外側スリーブ内に止める制止板が一列に連続配置され、
前記制止板は、前記前方封鎖板に続いて延出する一対の脚部と、各脚部から当該制止板の側方へ突出し、当該内側包装体の内装時において前記係止孔から露出する係止部を備えることを特徴とする包装用箱の内側包装体のブランクシート。
【発明の詳細な説明】
【技術分野】
【０００１】
本発明は、判断能力が不十分である者による誤飲を抑制することができる機能を備える包装用箱並びに内側包装体及びそのブランクシートに関する。
【背景技術】
【０００２】
従来、薬剤を包装する手段として、定形の空洞を複数形成したプラスチック成形体の各空洞に錠剤を収容し、当該空洞の開口部をアルミ箔などの薄形シートなどで封鎖してなるＰＴＰシートが提供されている。
この様なＰＴＰシートは、小児や老人小さい子供による薬剤の誤飲を抑制するため、所定の包装用箱で包装し、更に、その包装用箱には、中の薬剤を容易に取り出せないようにする措置（チャイルドレジスタント）が施されているものも存在する。
【０００３】
チャイルドレジスタントの具体は、例えば、外装体に内装体を摺動自在に挿入する形態の包装用箱において、内装体の上下端縁に形成された上下一対の引き抜きストッパ片が外装材の外側の上下端縁に係合し、引き出されないようにロックすると共に、外装体の左右外板を接近させるように押圧し、上下外板を各々外向きに湾曲させる操作によってロックを解除する手法（下記特許文献１参照）、又は、外装体たる箱体と、中枠部材からなる包装用箱であって、箱体の内側に、中枠部材の折り返し係止部の端部に当接して係合する段部である端縁部を備え、折り返し係合部を押し込んで係合を解除する押し込み部を備える手法（下記特許文献２参照）などが紹介されている。
【先行技術文献】
【特許文献】
【０００４】
【特許文献１】実用新案公報第３２１２３２８号公報
【特許文献２】特開２０１７−７６９１号公報
【発明の概要】
【発明が解決しようとする課題】
【０００５】
上記特許文献に記載の例をはじめとして、所謂チャイルドレジスタントが施された包装用箱が多数紹介されているものの、包装用箱に内包されている製品、例えば、薬品については、一日三食の食事に合わせて服用する場合のように、比較的頻繁に取り出し若しくは出し入れされ、包装用箱の開閉が比較的頻繁に行われるものが少なくない。
その様な頻繁な開閉に対し、チャイルドレジスタント機能を包装用箱が破断されることなく廃棄されるまで有効に機能させるには、チャイルドレジスタント機能を奏する構造へのストレスを出来る限り少なくすることが望ましい。
【０００６】
しかしながら、前記特許文献１に記載の手法は、包装用箱に施されたロック機構の構造上、ロック及びロック解除で行われる加圧操作には当該包装用箱における主要部分の変形が不可欠であり、その加圧操作の獲得及び維持については、専ら、包装用箱の素材が持つ弾力性及び復元性に依存しているという実態がある。
このように、ロック及びロック解除に求められる操作の獲得及び維持を素材の性状に大きく依存していたのでは、開閉の度に確実にチャイルドレジスタント機能を劣化させ、商品を使い尽くすに至るまでにチャイルドレジスタント機能を有効に維持できないという問題がある。
加えて、包装用箱の構造を複雑にすることなく、ロック及びロック解除に求められる操作に適度な困難性を与え、小児及び高齢者の双方に対して有効な誤飲抑制機能を奏する構成も求められているところである。  
【０００７】
本発明は、上記実情に鑑みて為されたものであって、開封から商品を使い切るに至るまで小児及び高齢者の双方に対して有効で且つ合理的な誤飲抑制機能を維持できる包装用箱並びに内側包装体及びそのブランクシートの提供を目的とする。
【課題を解決するための手段】
【０００８】
上記課題を解決するために為された本発明による包装用箱は、物品を収容する内側包装体と、当該内側包装体を挿脱可能に内包する方形筒状の外側スリーブを備え、前記内側包装体は、前記外側スリーブの内面を滑る第一の包み板と、前記外側スリーブの後方開口部を封じる後方封鎖板と、空隙を挟んで前記第一の包み板に対向し前記外側スリーブの内面を滑る第二の包み板と、前記外側スリーブの前方開口部を封じる前方封鎖板と、当該内側包装体を前記外側スリーブ内に止める制止板が方形筒状に組み立てられ、前記制止板は、前記前方封鎖板に続いて延出する一対の脚部と、各脚部から当該制止板の側方へ突出する係止部を備え、前記第一の包み板の内面に添って揺動自在に配置され、前記外側スリーブは、前記内側包装体の内装時において前記係止部に対向する位置に、前記係止部を当該外側スリーブの外に露出させる係止孔を備えることを特徴とする。
チャイルドレジスタント機能により高い実効性を与えるべく、各脚部の前記係止部を、前記制止板の側縁の非対称の位置に備える包装用箱として構成することもできる。
【０００９】
前記第一の包み板若しくは前記第二の包み板又はその双方の側方に、前記第一の包み板若しくは前記第二の包み板又はその双方と共にＰＴＰシートを保持する狭持板が延設され、当該狭持板は、前記ＰＴＰシートの個包装部を露出させる窓孔を備える構成を採ることによって、ＰＴＰシートを内装する包装用箱として、ＰＴＰシートと共に錠剤を誤飲する事態をも回避することができる。
前記制止板の一対の脚部を分ける分断溝は、前記第一の包み板若しくは前記第二の包み板又はその双方と狭持板とで保持された前記ＰＴＰシートの個包装部の配置領域に重ねて設けることができる。
【００１０】
上記課題を解決するために為された本発明による包装用箱の内側包装体は、対向する側板にそれぞれ係止孔を備える外側スリーブに対して挿脱可能に内包される内側包装体であって、前記外側スリーブの内面を滑る第一の包み板と、前記外側スリーブの後方開口部を封じる後方封鎖板と、空隙を挟んで前記第一の包み板に対向し前記外側スリーブの内面を滑る第二の包み板と、前記外側スリーブの前方開口部を封じる前方封鎖板と、当該内側包装体を前記外側スリーブ内に止める制止板が方形筒状に組み立てられ、前記制止板は、前記第一の包み板の内面に添って揺動自在に配置され、前記前方封鎖板に続いて延出する一対の脚部と、各脚部から当該制止板の側方へ突出し、当該内側包装体の内装時において前記係止孔から露出する係止部を備えることを特徴とする。
【００１１】
上記課題を解決するために為された本発明による包装用箱の内側包装体のブランクシートは、対向する側板にそれぞれ係止孔を備える外側スリーブに対して挿脱可能に内包される内側包装体のブランクシートであって、前記外側スリーブの内面を滑る第一の包み板と、前記外側スリーブの後方開口部を封じる後方封鎖板と、空隙を挟んで前記第一の包み板に対向し前記外側スリーブの内面を滑る第二の包み板と、前記外側スリーブの前方開口部を封じる前方封鎖板と、当該内側包装体を前記外側スリーブ内に止める制止板が一列に連続配置され、前記制止板は、前記前方封鎖板に続いて延出する一対の脚部と、各脚部から当該制止板の側方へ突出し、当該内側包装体の内装時において前記係止孔から露出する係止部を備えることを特徴とする。
【発明の効果】
【００１２】
本発明による包装用箱並びにその内側包装体及びそのブランクシートによれば、内側包装体は、第一の包み板と、後方封鎖板と、第二の包み板と、前方封鎖板と、前記外側スリーブ内に当該内側包装体を止める制止板が方形筒状に組み立てられ、当該制止板は、前記第一の包み板の内面に添って揺動自在に配置されており、且つ前記前方封鎖板に続いて延出する一対の脚部と、各脚部から当該制止板の側方へ突出する係止部を備え、前記外側スリーブは、前記内側包装体の内装時において前記係止部に対向する位置に、前記係止部を当該外側スリーブの外に露出させる係止孔を備える構成を採ることによって、ロック及びロック解除の際に加えられる加圧操作で包装用箱の主要部分を変形させることはなく、仮に変形させるとしても、その変形を包装用箱の主要部分ではない脚部の構成と、その変形を許容するために確保された空間（内空部）の存在によって、包装用箱の素材の弾力性及び復元性に依存することを極力回避することができる。
その結果、開閉の度にチャイルドレジスタント機能や包装用箱の強度を劣化させることもなく、包装用箱に収められた商品を使い尽くすに至るまでに、小児及び高齢者の双方に対して有効なチャイルドレジスタント機能を確保し維持することができる。
【００１３】
また、各脚部の前記係止部が非対称の位置に突設されている構成を採ることによって、ロック及びロック解除の操作に適度な困難性を与え、チャイルドレジスタント機能により高い実効性を与え、小児及び高齢者の双方に対して有効な誤飲抑制機能を奏することとなる。  
【００１４】
前記第一の包み板若しくは前記第二の包み板又はその双方の側方に、前記第一の包み板若しくは前記第二の包み板又はその双方と共にＰＴＰシートを保持する狭持板が延設され、当該狭持板に、前記ＰＴＰシートの個包装部を露出させる窓孔を備える構成を採ることによって、ＰＴＰシートを内装する包装用箱として、ＰＴＰシートと共に錠剤を誤飲する事態をも回避することができる。
【００１５】
更に、前記制止板の一対の脚部を隔する分断溝は、前記第一の包み板若しくは前記第二の包み板又はその双方と狭持板とで保持された前記ＰＴＰシートの個包装部の配置領域に重ねて設けることによって、ロック及びロック解除の際の係止部の出没を司る脚部の変形を許容するための空間を確実に得ることができるため、チャイルドレジスタント機能の動作をより安定したものとすることができる。
【図面の簡単な説明】
【００１６】
【図１】本発明による包装用箱のロック時及びロック解除時の動作の一例を示す説明図である。
【図２】本発明による包装用箱の内側包装体のブランクシートの一例を示す平面図である。
【図３】本発明による包装用箱の内側包装体の折畳み工程の一例を示す平面図である。
【図４】本発明による包装用箱の内側包装体の折畳み工程の一例を示す平面図である。
【図５】本発明による包装用箱の内側包装体の折畳み工程の一例を示す（Ａ）左側面図、（Ｂ）平面図及び（Ｃ）右側面図である。
【図６】本発明による包装用箱の内側包装体の一例を示す（Ａ）背面図、（Ｂ）左側面図、（Ｃ）平面図、（Ｄ）右側面図、（Ｅ）正面図及び（Ｆ）底面図である。
【図７】本発明による包装用箱の外側スリーブのブランクシートからの折畳み工程の一例を示す平面図である。
【図８】本発明による包装用箱の外側スリーブの一例を示す（Ａ）背面図、（Ｂ）左側面図、（Ｃ）平面図、（Ｄ）右側面図、（Ｅ）正面図及び（Ｆ）底面図である。
【発明を実施するための形態】
【００１７】
以下、本発明による包装用箱の実施の形態を、錠剤を包装したＰＴＰシートを物品として収容する例に基づき、その内側包装体及びそのブランクシートの実施の形態と共に詳細に説明する。
図１に示す例は、前記ＰＴＰシートを収容する方形筒状の内側包装体１と、当該内側包装体１を挿脱可能に内包する方形筒状の外側スリーブ２からなる包装用箱である。
【００１８】
前記内側包装体１は、前記外側スリーブ２の内面を滑る第一の包み板３と、前記外側スリーブ２の後方開口部を封じる後方封鎖板４と、空隙を挟んで前記第一の包み板に対向し前記外側スリーブ２の内面を滑る第二の包み板５と、前記外側スリーブ２の前方開口部を封じる前方封鎖板６と、前記外側スリーブ２内に当該内側包装体１を止める制止板７が縦一列に連続配置され、前記第一の包み板３及び前記第二の包み板５の側方に、それらとともにＰＴＰシートを挟む狭持板８，９が延設されたブランクシートを用い、前記第一の包み板３と、前記後方封鎖板４と、前記第二の包み板５と、前記前方封鎖板６と、前記制止板７を、当該制止板７を内装しつつそれぞれを内側へ直角に折曲げ、最後に保形手段を機能させることによって方形筒状に組み立てたものである。
【００１９】
前記前方封鎖板６及び前記後方封鎖板４は、その形状が、前記外側スリーブ２の前後開口部と略等しい方形状に設定されている。
前記第一の包み板３及び前記第二の包み板５は、各々の前記狭持板８，９が延設されていない側の側端縁に、当該包み板３，５を、前記狭持板８，９と共に袋綴じするための糊代１０，１１をそれぞれ備える。
更に、前記第一の包み板３は、その先端縁に当該内側包装体１の保形手段の一部である差込片１２を備える。
【００２０】
前記狭持板８，９は、前記ＰＴＰシートの個包装部１３を露出させる窓孔１４，１５をそれぞれ備え、前記第一包み板３及び第二包み板５は、当該ＰＴＰシートの個包装部１３を封じる封鎖面１６を露出させる取出し孔１７，１８を、前記窓孔１４，１５と同じ形態で備える。
図に示す例は、各狭持板８，９の窓孔１４，１５と、各包み板３，５の取出し孔１７，１８を、それぞれが袋綴じされた際に相互に重なり合うように配置されている。
【００２１】
この様にＰＴＰシートを内装する場合には、前記第一の包み板３若しくは前記第二の包み板５又はその双方に、取出し孔を適宜設けることができる。前記窓孔は、前記取出し孔を設けた包み板３，５と連結する狭持板８，９に、適宜設けることができる。
尚、前記ＰＴＰシートの個包装部１３を露出させる窓孔は、個包装部１３それぞれに設ける構成や、一枚のＰＴＰシートが持つ個包装部群で一つ又は複数設ける構成のいずれを採ってもよい。
【００２２】
前記制止板７は、前記前方封鎖板６の端縁から、当該前方封鎖板６と同じ幅で両包み板３，５と略同じ長さだけ延出し、中央部に分断溝１９を設けることによって、前記前方封鎖板６から延出する二股に分かれた脚部７ｂ，７ｃが形成され、当該制止板７と前記前方封鎖板６の境界線上には、前記差込片１２が差し入れられて保形手段を構成する切込７ｆを備える。
この例の制止板７は、前記分断溝１９を設ける際に、前記前方封鎖板６側の一部を残して基部７ａとし、当該基部７ａから二股に分かれた脚部７ｂ，７ｃを形成することにより、全体としてＵ字状に裁断されている。
【００２３】
この例の脚部７ｂ，７ｃは、その中間部に、外側（制止板の側方）へ突出した係止部７ｄ，７ｅを対称的に備える。
各係止部７ｄ，７ｅは、前記内側包装体１が前記外側スリーブ２へ装填される方向へ緩やかなスロープを備え、前記内側包装体１が前記外側スリーブ２から離脱する方向の縁は略直角に切り立った形に裁断されている。
この例の各脚部７ｂ、７ｃを隔する分断溝１９は、内装するＰＴＰシートの個包装部１３の配置領域（ＰＴＰシートを内装しない場合にはその他の物品の配置領域）に重ねて設けられ、個包装部１３が存在しない領域、即ち、両脚部７ｂ、７ｃが重なる領域には、当該脚部７ｂ、７ｃの捻じれを許容する空間が形成される。
【００２４】
この例の前記外側スリーブ２は、第一側板２０、第二側板２１、第三側板２２、第四側板２３及び前記第一側板２０の側縁に沿って貼着される糊代２４を横一列に連結してなるブランクシートを用い、前記第一側板２０、第二側板２１、第三側板２２及び第四側板２３を各々同じ方向へ直角に折り曲げ、糊代２４と第一側板２０の側縁部裏面との糊付けによって保形された方形筒状に組み立ててなる。
この例では、前記第一側板２０と第三側板２２の幅を等しく設定し、前記第二側板２１と第四側板２３の幅を等しく設定し、前者の幅を後者の幅よりも十分に広く設定することによって、薄型の包装用箱に組み立てられている。
【００２５】
前記第一側板２０及び第三側板２２は、前記内側包装体１が外側スリーブ２から離脱する方向、即ち、前方開口部の縁の中央に、当該外側スリーブ２から前記内側包装体１を引き出すための指掛けに便宜となる切欠部２５，２６を備える。
一方、前記第二側板２１及び第四側板２３は、当該外側スリーブ２に内装された前記内側包装体１の前記係止部７ｄ，７ｅに対向する位置に、前記第三側板２２の両側縁に沿う係止孔２１ａ，２３ａを備え、内装された前記内側包装体１の係止部７ｄ，７ｅを当該外側スリーブ２の外に露出させる。前記係止孔２１ａ，２３ａは、当該係止部７ｄ，７ｅを操作する指を、前記外側スリーブ２の内部へ僅かに侵入させるために、それぞれ第三側板２２の側縁部に至る範囲に広げることもできる。
【００２６】
このような構造が与えられた上記包装用箱は、前記外側スリーブ２に内側包装体１を装填する際、当該外側スリーブ２の側方へ突出する係止部７ｄ，７ｅは、そのスロープに当該外側スリーブ２の内空部へ誘導される。
その際、前記制止板７の両脚部７ｂ，７ｃは、相互に対称的に捻じれつつ当該内側包装体１の内空部１ａにおいて立体的な膨らみを帯び、各係止部７ｄ，７ｅが前記外側スリーブ２に設けられたそれぞれの係止孔２１ａ，２３ａに至った時（嵌った時）に、前記脚部７ｂ，７ｃの捩れは解消し、略平面状態に復帰する。
尚、平面状態の復帰を重力で助長するには、前記制止板７が、当該包装用箱の使用態様に応じて下方となる包み板に添う構成とすることが望ましい。
【００２７】
前記外側スリーブ２から前記内側包装体１を脱離させる際、片手で当該外側スリーブ２を保持しながら、同時にその両側方から露出する係止部７ｄ，７ｅを内側へ向けて加圧し、前記内側包装体１の指掛け部１ｂを摘んで引き出す操作を行う。
前記係止部７ｄ，７ｅを内側から加圧することにより、前記係止部７ｄ，７ｅは、前記係止孔２１ａ，２３ａから外れ、前記制止板７の両脚部７ｂ，７ｃは、相互に対称的に捻じれつつ当該内側包装体１の内空部１ａにおいて立体的な膨らみを帯び、各係止部７ｄ，７ｅが引き出され前記係止部７ｄ，７ｅが前記外側スリーブ２の前開口部から離脱するに至った時に、前記脚部７ｂ，７ｃの捩れは解消し略平面状態に復帰する。
【００２８】
前記係止部７は、前記脚部７ｂ，７ｃの範囲で非対称に設け、前記係止孔２１ａ，２３ａを、当該外側スリーブ２に内装された前記内側包装体１の前記係止部７ｄ，７ｅに対向する位置に設けることによって、人間の身体の構造上、異なる側から突出する係止部７ｄ，７ｅを同時に加圧する操作が適度に困難となり、チャイルドレジスタント機能の実行性が高まることとなる。その際、前記制止板７に設けられた脚部７ｂ，７ｃの長さも、各々の係止部７ｄ，７ｅの位置に応じて非対称とすることもできる。
また、相対抗する側方に設けられた係止部７ｄ，７ｅの間隔を幼児の手の幅よりも十分に広く設定することによって、前記係止部７ｄ，７ｅへの同時加圧動作と、指掛け部１ｂを摘んで引き出す動作を同時に行う操作の困難性を高めることができる。
【００２９】
１  内側包装体，１ａ  内空部，１ｂ  指掛け部，
２  外側スリーブ，
３  第一の包み板，４  後方封鎖板，５  第二の包み板，６  前方封鎖板，
７  制止板，
７ａ  基部，７ｂ  脚部，７ｃ  脚部，７ｄ  係止部，７ｅ  係止部，７ｆ  切込，
８  狭持板，９  狭持板，１０  糊代，１１  糊代，
１２  差込片，
１３  個包装部，
１４  窓孔，１５  窓孔，
１６  封鎖面，
１７  取出し孔，１８  取出し孔，
１９  分断溝，
２０  第一側板，
２１  第二側板，２１ａ  係止孔，
２２  第三側板，
２３  第四側板，２３ａ  係止孔，
２４  糊代，
２５  切欠部，２６  切欠部，
【図１】
2020011734.tif 000003
【図２】
2020011734.tif 000004
【図３】
2020011734.tif 000005
【図４】
2020011734.tif 000006
【図５】
2020011734.tif 000007
【図６】
2020011734.tif 000008
【図７】
2020011734.tif 000009
【図８】
2020011734.tif 000010